(57)【要約】【課題】撮影装置で撮影したデジタル画像の証拠能力が低い。【解決手段】デジタルカメラ２０は、撮影したデジタル画像を保持する画像データ保持部２４と、内蔵時計２８と、時刻設定部３２と，撮影したデジタル画像に認証情報を関連づける処理を行う認証情報制御部５０と、を備える。認証情報制御部５０は、内蔵時計２８の進行が中断するたびに異なる時刻ＩＤを設定し保持する時刻ＩＤ制御部３６と、撮影したデジタル画像に撮影時刻や撮影時点の時刻ＩＤなどを付加する認証情報付加部４４と、認証のタイミングで時刻ＩＤと内蔵時計が示す時刻を認証サーバに通知する認証情報送信部４６と、を備える。【選択図】        図２
2004153582.tif 000002
【特許請求の範囲】
【請求項１】
撮影装置で撮影したデジタル画像に当該撮影装置に内蔵された時計から得られる撮影時刻および当該撮影時刻までの前記時計の動作履歴を関連づける予備ステップと、
前記撮影時刻および動作履歴が関連づけられたデジタル画像を、そのデジタル画像の撮影時刻を認証する主体に送信する第１送信ステップと、
動作履歴および前記内蔵される時計が示す現在時刻を前記主体に送信する第２送信ステップと、
を有し、第２送信ステップにて送信される動作履歴は当該送信の時刻までの履歴であることを特徴とするデジタル画像の認証方法。
【請求項２】
前記主体が要求した識別子を前記撮影装置より受け取った際に、受け取った識別子と前記デジタル画像に関連づけられている識別子と比較し、それら識別子が一致する場合、前記デジタル画像を認証するステップをさらに有することを特徴とする請求項１に記載のデジタル画像の認証方法。
【請求項３】
内蔵される時計の進行の連続性が中断されるたびに異なる識別子を設定する識別子設定部と、
撮影したデジタル画像に前記時計から得られる撮影時刻および前記所定の識別子を認証情報として関連づける認証情報付加部と、
前記撮影時刻および前記識別子が関連づけられたデジタル画像を、そのデジタル画像の撮影時刻を認証する主体に送信する画像送信部と、
当該撮影装置に内蔵される時計が示す時刻と前記識別子を前記認証サーバに送信する認証情報送信部と、
を有することを特徴とする撮影装置。
【請求項４】
前記撮影した画像の撮影位置情報を取得する位置情報取得部をさらに有し、
前記認証情報付加部は、前記撮影位置情報も前記認証情報の一部として撮影したデジタル画像に関連づけることを特徴とする請求項３に記載の撮影装置。
【請求項５】
前記認証情報付加部は、前記撮影装置を特定する情報も前記認証情報の一部として前記撮影したデジタル画像に付加することを特徴とする請求項３または４に記載の撮影装置。
【請求項６】
撮影装置で撮影したデジタル画像の時刻を所定の認証サーバで認証するシステムであって、
前記撮影装置は、
内蔵する時計の進行の連続性が中断されるたびに異なる識別子を設定する識別子設定部と、
撮影したデジタル画像に前記時計から得られる撮影時刻および前記識別子を認証情報として関連づける認証情報付加部と、
前記撮影時刻および識別番号が関連づけられたデジタル画像を、そのデジタル画像の撮影時刻を認証する認証サーバに送信する画像送信部と、
前記内蔵する時計が示す時刻と前記識別子を前記認証サーバに送信する認証情報送信部と、
を有し、
前記認証サーバは、
前記認証情報が関連づけられたデジタル画像を前記撮影装置より取得する画像取得部と、
前記デジタル画像に関連づけられた認証情報を抽出する認証情報抽出部と、
前記撮影装置に対して、その撮影装置に設定されている前記識別子と前記撮影装置が内蔵する時計が示す時刻を要求する識別番号要求部と、
前記撮影装置の認証情報送信部より受け取った識別子と前記認証情報に含まれている識別子とを比較し、それら識別子が一致する場合、前記デジタル画像の撮影時刻を認証する画像認証部と、
を有することを特徴とする認証システム。
【請求項７】
内蔵する時計の進行の連続性が中断されるたびに識別子を設定する識別子設定部と、
撮影したデジタル画像に前記時計から得られる撮影時刻および前記所定の識別子を関連づける認証情報付加部と、
外部より正確な標準時刻を取得する時刻取得部と、
所期の認証タイミングにおいて、前記識別子に変更がない場合に限って、取得した標準時刻と内蔵する時計が示す時刻をもとに正確な撮影時刻を推定し、推定された撮影時刻を前記デジタル画像に付加する画像認証部と、
を有することを特徴とする撮影装置。
【発明の詳細な説明】
【０００１】
【発明の属する技術分野】
この発明は、デジタル画像の認証技術に関する。
【従来の技術】
近年、従来型のカメラに替わりデジタルカメラが普及しつつあり、その性能の向上は目を見張るものがある。撮影能力は従来型のカメラと遜色のないレベルに達しつつある。デジタルカメラで撮影した画像データは、その取り扱いが容易であり今後様々な場面で使用されるようになると想定されている。最近では工事現場の進捗状況の記録などにも利用されるようになっている。しかしながらデジタルカメラで撮影したデジタル画像は、パーソナルコンピュータ等で加工することが容易であり、その証拠能力は一般的には低いと見なされている。
【０００２】
デジタル画像の証拠能力の確保するために、撮影日時やカメラの製造番号などの認証情報を撮影したデジタル画像に透かし込む方法も提案されているが、その撮影日時自体の信頼性の確保が必要となる。デジタル画像に信頼性が確保された認証情報を付加する技術として、ＧＰＳ（Ｇｌｏｂａｌ  Ｐｏｓｉｔｉｏｎｉｎｇ  Ｓｙｓｔｅｍ）から得た位置情報や、電波時計から得た時刻情報をデジタル画像に付加する技術が開示されている（例えば、特許文献１参照）。
【０００３】
【特許文献１】
特開２００１−１００６３２号公報
【０００４】
【発明が解決しようとする課題】
しかしながら、上記技術では認証情報、特に時刻情報の信頼性を向上させる余地が残されている。
本発明はこうした状況に鑑みなされたものであって、その目的は、撮影したデジタル画像に正確な撮影時刻を関連づける技術を提供することにある。別の目的は、デジタル画像の認証能力を確保する技術を提供することにある。
【０００５】
【課題を解決するための手段】
本発明のある態様は、認証方法に関する。この方法は、撮影装置で撮影したデジタル画像に当該撮影装置に内蔵された時計から得られる撮影時刻および当該撮影時刻までの前記時計の動作履歴を関連づける予備ステップと、前記撮影時刻および動作履歴が関連づけられたデジタル画像を、そのデジタル画像の撮影時刻を認証する主体に送信する第１送信ステップと、動作履歴および前記内蔵される時計が示す現在時刻を前記主体に送信する第２送信ステップと、を有し、第２送信ステップにて送信される動作履歴は当該送信の時刻までの履歴である。また、前記主体が要求した識別子を前記撮影装置より受け取った際に、受け取った識別子と前記デジタル画像に関連づけられている識別子と比較し、それら識別子が一致する場合、前記デジタル画像を認証するステップをさらに有してもよい。
【０００６】
本発明のさらに別の態様は撮影装置に関する。この装置は、内蔵される時計の進行の連続性が中断されるたびに異なる識別子を設定する識別子設定部と、撮影したデジタル画像に前記時計から得られる撮影時刻および前記所定の識別子を認証情報として関連づける認証情報付加部と、撮影時刻および識別子が関連づけられたデジタル画像を、そのデジタル画像の撮影時刻を認証する主体に送信する画像送信部と、当該撮影装置に内蔵される時計が示す時刻と識別子を前記認証サーバに送信する認証情報送信部と、を有する。
【０００７】
ここで「内蔵される時計の進行の連続性が中断される」とは、ユーザにより時刻の変更操作を受けたり、電池交換などで時計の進行が停止することなどが挙げられる。例えばメモリなどに記録されているデジタル画像に関連づけられている識別子と、現在撮影装置に設定されている識別子が同一であれば、デジタル画像を撮影した後に時刻の変更操作が行われていないことが分かる。
【０００８】
本発明の別の態様は認証システムに関する。このシステムは、撮影装置で撮影したデジタル画像の時刻を所定の認証サーバで認証するシステムであって、撮影装置は、内蔵する時計の進行の連続性が中断されるたびに異なる識別子を設定する識別子設定部と、撮影したデジタル画像に時計から得られる撮影時刻および識別子を認証情報として関連づける認証情報付加部と、撮影時刻および識別番号が関連づけられたデジタル画像を、そのデジタル画像の撮影時刻を認証する認証サーバに送信する画像送信部と、内蔵する時計が示す時刻と識別子を認証サーバに送信する認証情報送信部と、を有し、認証サーバは、認証情報が関連づけられたデジタル画像を撮影装置より取得する画像取得部と、デジタル画像に関連づけられた認証情報を抽出する認証情報抽出部と、撮影装置に対して、その撮影装置に設定されている識別子と撮影装置が内蔵する時計が示す時刻を要求する識別番号要求部と、撮影装置の認証情報送信部より受け取った識別子と認証情報に含まれている識別子とを比較し、それら識別子が一致する場合、デジタル画像の撮影時刻を認証する画像認証部と、を有する。
【０００９】
本発明の別の態様は撮影装置に関する。この装置は、内蔵する時計の進行の連続性が中断されるたびに識別子を設定する識別子設定部と、撮影したデジタル画像に内蔵する時計から得られる撮影時刻および識別子を関連づける認証情報付加部と、外部より正確な標準時刻を取得する時刻取得部と、所期の認証タイミングにおいて、識別子に変更がない場合に限って、取得した標準時刻と内蔵する時計が示す時刻をもとに正確な撮影時刻を推定し、推定された撮影時刻をデジタル画像に付加する画像認証部と、を有する。
【００１０】
なお、以上の構成要素の任意の組合せ、本発明の表現を方法、装置、システム、コンピュータプログラムなどの間で変換したものもまた、本発明の態様として有効である。
【００１１】
【発明の実施の形態】
実施の形態では、デジタルカメラで撮影したデジタル画像に撮影時刻や撮影位置を付加する。特に撮影時刻の信頼性を確保するために、デジタルカメラの内蔵時計から得られた撮影時刻をデジタル画像に付加するとともに、内蔵時計における時刻の設定変更の有無を確認し、設定変更がない場合、ＮＴＰサーバの配信する精度の高い標準時刻をもとにデジタル画像に対し正確な撮影時刻を埋め込む。また、撮影位置としてＧＰＳを利用して位置を特定したり、無線ＬＡＮ機器や携帯電話などの端末を利用してインターネットに接続する場合、それら端末が接続する基地局のアドレスを撮影位置として利用する。
【００１２】
実施の形態１：
図１は、実施の形態１に係るデジタルカメラ２０および認証サーバ６０を含むネットワークシステム１０の全体構成を示す。ここでは、デジタルカメラ２０と、認証サーバ６０と、ＮＴＰサーバ１２がインターネット１８を介して接続される。また、デジタルカメラ２０は、外部無線基地局１４やＧＰＳ１６から得られる情報をもとに撮影位置を取得する。ＮＴＰサーバ１２は、標準時刻を高い精度で提供する。
【００１３】
図２は、実施の形態１に係るデジタルカメラ２０の構成図である。デジタルカメラ２０は、ユーザの様々な操作を受け付けるユーザインタフェイス２６と、デジタル画像を撮影する撮影部２２と、撮影したデジタル画像を保持する画像データ保持部２４と、を備える。更にデジタルカメラ２０は、内蔵時計２８と、内蔵時計２８の時刻設定を行う時刻設定部３２と、電源管理部３４と、インターネット１８との通信を行う通信部３０と、撮影したデジタル画像に認証情報を関連づける処理を行う認証情報制御部５０を備える。また更に、デジタルカメラ２０は、撮影位置を特定するためにアンテナ１００によってＧＰＳ１６が発信する電波を取得し自己の位置を特定するＧＰＳ受信装置４２を備える。
【００１４】
認証情報制御部５０は、内蔵時計２８の進行が中断するたびに異なる認証番号（以下、「時刻ＩＤ」ともいう）を設定し保持する時刻ＩＤ制御部３６と、撮影位置を特定するためにＧＰＳ受信装置４２から、またはインターネット１８を介して外部無線基地局１４から位置情報を取得する位置情報取得部４０と、デジタルカメラ２０の製造番号やＭＡＣ（Ｍｅｄｉａ  Ａｃｃｅｓｓ  Ｃｏｎｔｒｏｌ  ａｄｒｅｓｓ）アドレス、ＩＰ（Ｉｎｔｅｒｎｅｔ  Ｐｒｏｔｏｃｏｌ）アドレスなどの個体識別番号を保持する識別情報保持部３８と、撮影したデジタル画像に撮影時刻、撮影時点の時刻ＩＤ、およびデジタルカメラ２０の識別番号を認証情報として付加する認証情報付加部４４と、認証サーバ６０の要請を受けて要請を受けた時点の時刻ＩＤと内蔵時計が示す時刻を認証サーバ６０に通知する認証情報送信部４６と、を備える。
【００１５】
図３は、実施の形態１に係る認証サーバ６０の構成を示す。認証サーバ６０は、インターネット１８を介してデジタルカメラ２０およびＮＴＰサーバ１２と通信する通信部７０と、デジタルカメラ２０の要請を受けてデジタル画像の認証を行う認証処理部８０を備える。認証処理部８０は、デジタルカメラ２０から認証情報が付加されたデジタル画像を取得し、そのデジタル画像に付加されている認証情報から時刻ＩＤが付加と撮影時刻を抽出する認証情報抽出部８２と、時刻ＩＤ制御部３６に設定されている時刻ＩＤとデジタルカメラ２０の内蔵時計２８の示す時刻を要求し取得する時刻情報要求部８４と、ＮＴＰサーバ１２から標準時間を取得する標準時刻取得部８６と、後述する処理にもとづきデジタル画像の認証処理を行う画像認証部８８と、を備える。
【００１６】
図４は、デジタル画像の認証処理手順を示すタイミングチャートであり、このタイミングチャートをもとに上述の構成による動作を説明する。ユーザの操作によって、デジタルカメラ２０は撮影を行い、デジタル画像を取得する（Ｓ１１０）。撮影されたデジタル画像には、そのヘッダ領域に撮影時刻および時刻ＩＤが付加される（Ｓ１１２）。撮影時刻および時刻ＩＤはデジタル画像のヘッダ領域に付加されたが画像データに埋め込まれてもよく、その埋め込みおよび抽出技術は一般的に知られる技術で画像品位に影響を与えず実現できる。
【００１７】
つづいて、位置情報取得部４０は、取得した撮影位置をデジタル画像に付加する（Ｓ１１４）。このデジタル画像に付加された時刻情報の認証のための操作がユーザによりなされた場合、認証情報送信部４６は、まず、撮影時刻および時刻ＩＤが付加されたデジタル画像を認証サーバ６０に送信する（Ｓ１１６）。
【００１８】
つづいて、認証サーバ６０の処理に移り、認証情報抽出部８２は、デジタル画像を取得すると（Ｓ２１０）、そのデジタル画像に付加されている認証情報の一部である撮影時刻および時刻ＩＤを抽出する（Ｓ２１２）。次に、時刻情報要求部８４は、デジタルカメラ２０に対してその時点で時刻ＩＤ制御部３６に設定されている時刻ＩＤおよび内蔵時計２８が示す時刻を要求する（Ｓ２１４）。
【００１９】
デジタルカメラ２０の処理に移り、認証情報送信部４６は認証サーバ６０の要求にもとづき、時刻ＩＤ制御部３６に設定されている時刻ＩＤおよび内蔵時計２８が示す時刻を取得し認証サーバ６０に送信する（Ｓ１１８）。認証サーバ６０の処理に移り、時刻情報要求部８４はデジタルカメラ２０より時刻ＩＤおよび時刻を受け取ると（Ｓ２１６）、画像認証部８８はデジタル画像より抽出した時刻ＩＤと認証情報送信部４６より受け取った時刻ＩＤが一致するか確認する（Ｓ２１８）。それら時刻ＩＤが一致しない場合（Ｓ２２０のＮ）、デジタルカメラ２０において時刻設定の操作が行われたとしてデジタル画像の認証はなされない（Ｓ２２６）。
【００２０】
時刻ＩＤが一致する場合（Ｓ２２０のＹ）、まず標準時刻取得部８６はＮＴＰサーバ１２にアクセスし正確な標準時刻を取得し、画像認証部８８はその標準時刻と認証情報送信部４６より取得した時刻とを比較し、内蔵時計２８に設定されている時刻と標準時刻との誤差を算出し、その誤差をもとに正式な撮影時刻を推定し、撮影時刻と認証すべき時刻（以下、「認証撮影時刻」ともいう）を確定する（Ｓ２２２）。つづいて、画像認証部８８は、撮影位置と認証撮影時刻を既知の暗号処理技術を利用してデジタル画像に付加する（Ｓ２２４）。デジタル画像に付加する際に、ヘッダ領域に付加してもよいし、透かし技術等を用いて画像データに埋め込んでもよい。その後、画像認証部８８は認証の結果、認証されなかったときはその旨を通知し、認証された場合は、認証撮影時刻が付加されたデジタル画像をデジタルカメラ２０に送信する（Ｓ２２８）。デジタルカメラ２０は、認証結果の通知を受けると認証された場合は、認証された撮影時刻が付加されたデジタル画像を画像データ保持部２４に保持し、認証されなかった場合は、認証されなかった旨を示す識別子を付加しデジタル画像を画像データ保持部２４に記録する（Ｓ１２０）。これにより、デジタル画像に対して、正確な撮影時刻を付加することができ、撮影時刻が付加されたデジタル画像の客観性が維持される。また、デジタル画像に付加する認証情報として識別情報保持部３８に保持されている個体識別番号が含まれてもよい。
【００２１】
ここで、デジタルカメラ２０が撮影を行った時に、ＧＰＳ受信装置４２が何らかの原因により撮影位置を特定できなかった場合、撮影位置の手がかりとなる情報として、撮影時刻が近くかつ認証済みのデジタル画像の時刻ＩＤ、撮影時刻および撮影位置の組合せを認証情報の一部として組み込んでもよい。当然、認証されているデジタル画像に付加されている情報に限らず、最近接続したもしくは再接続後の外部無線基地局１４のアドレスおよび接続時刻を撮影位置に替わる情報として利用されてもよい。また、認証撮影時刻が付加されたデジタル画像はデジタルカメラ２０に送信せずに、ネットワーク上に設けられた所定のサイトに保持されてもよい。その場合、デジタルカメラ２０にはデジタル画像の保持されているサイトのアドレスを通知すればよい。
【００２２】
デジタルカメラ２０の内蔵時計２８の電源として、主電源とは別にボタン電池などが利用されることがある。この場合、電池切れにより内蔵時計２８が停止することはまれであり、一般には、一度時刻を設定すれば頻繁に時刻の設定変更が行われることは少ない。そこで、時刻の設定変更可能なユーザをパスワードなどで限定する構成としてもよい。その場合、時刻の設定変更がなされ時刻ＩＤが新たに設定される際に、変更を行ったユーザを特定する識別子、一般には識別番号を時刻ＩＤに関連づけて記録してもよい。
【００２３】
画像認証部８８は、デジタル画像から抽出された撮影時点の時刻ＩＤと認証情報送信部４６から受け取った時刻ＩＤを比較し、それらが一致する場合に限り認証処理を行った。しかし、ユーザが意図せず内蔵時計２８の時刻が変更されるたり、海外旅行などで時差が発生した場合、ユーザによっては時刻を変更したりすることも考えられるため、ユーザの時刻変更の操作履歴を時刻ＩＤに関連づけて記録しておき、撮影時刻の客観性を確保することで、時刻ＩＤが一致しない場合でも認証処理を行ってもよい。
【００２４】
図５は上記の操作履歴が記述されている時刻変更履歴テーブルの一例を示す。このテーブルには、設定されている時刻ＩＤと、時刻変更時におけるその前後の時刻の差分値が記述されている。時刻ＩＤは、最初に時刻設定をする際には設定されず、２回目以降の時刻設定時に新たに乱数を発生させること等で設定される。ここでは、２回目以降順次、時刻ＩＤとして「１２３４」、「５６７８」、および「９ａｂｃ」が設定されている。また、時刻ＩＤが「１２３４」から「５６７８」に変更されたとき、内蔵時計は４６０９５４秒だけ進められたことを示している。このように、差分値も記録することで、異なる時刻ＩＤであっても、撮影時刻を正しく推定できる。
【００２５】
図６は、時刻変更履歴テーブルの別の例を示す。このテーブルには、時刻ＩＤとして時刻の変更操作が成されるたびにインクリメントされる時刻変更履歴ＩＤと、変更前後の時刻の差分値と、時刻変更履歴ＩＤの設定期間が記述されている。例えば、時刻変更履歴ＩＤとして「００００２」が設定される場合、３６００秒（１時間）だけ内蔵時計２８を進める操作がなされたことを示している。また、現在設定されている時刻変更履歴ＩＤは「００００３」であるため、変更前後の時刻の差分値は「０」となっており、次回変更時に差分値が決定する。
【００２６】
図７は、図６の時刻変更履歴テーブルに示されている時刻変更の操作履歴を時間軸上に示す。例えば、時刻変更履歴ＩＤが「０００１」において１月１日９時撮影と記録されたデジタル画像は、９時＋（−１８０００秒（５時間））＋３６００秒（１時間）＝５時より、現在設定されている時間軸上では、１月１日５時撮影のデジタル画像となる。現在の時刻が、現在設定されている時間軸上で１２時であれば、撮影時刻は現在より７時間前となる。現在、標準時間が１２時を示していれば、認証サーバ６０はデジタル画像の撮影時刻として５時を付加すればよい。また、標準時間が１３時を示していれば、１時間遅れていることになるので、認証サーバ６０はデジタル画像の撮影時刻として６時を付加すればよい。図６の設定期間は記述されなくともよいが、これがあることで矛盾した撮影時刻を割り出すことができる。
【００２７】
図８は、時刻変更履歴テーブルのさらに別の例を示す。ここでは、デジタルカメラ２０を出荷する際に基準時間が設定され、その基準時間との差分値が保持される。この基準時間は変更ができない構成である。この時刻変更履歴テーブルには、時刻ＩＤとして時刻の変更操作が成されるたびにインクリメントされる時刻変更履歴ＩＤと、基準時刻と変更後の時刻との差分値、および変更時刻が記述されている。例えば、時刻変更履歴ＩＤが「００００３」が設定されたとき、新たに設定された時刻が１２時で基準時刻が１６時であれば、差分値として「−１４４００秒（−４時間）」が記述される。変更時刻は記述されなくともよいが、これがあることで矛盾した撮影時刻を割り出すことができる。図９は、時刻変更履歴テーブルに示されている時刻変更の操作履歴を時間軸上に示す。例えば、現在の時刻変更履歴ＩＤが「００００３」であり、時刻変更履歴ＩＤが「００００１」で１月１日９時に撮影と記録されたデジタル画像に関して、現在の時刻設定のもとにおける撮影時刻を求める。時刻変更履歴ＩＤが「００００１」のタイミングでは基準時刻との差分値が「＋３時間」であり、時刻変更履歴ＩＤが「００００３」である現在の時刻設定では、基準時間との差分値が「−４時間」である。したがって、１６時−（＋３時間）＋（−４時間）＝９時より、現在の時刻設定では、１月１日９時に撮影されたデジタル画像であると判断される。
【００２８】
また、メモリバックアップ電池を交換する場合などでは、すべてのメモリがリセットされることがある。そこで、時刻変更履歴テーブルに関してもリセットされてしまう。そこで、図１０に示すように、時刻変更履歴テーブルは電池交換のたびにインクリメントされる電池交換ＩＤを持つ構成としてもよい。
【００２９】
実施の形態２：
実施の形態１では、撮影したデジタル画像は認証サーバ６０で撮影時刻の認証処理が行われたが、本実施の形態ではデジタルカメラ２０が認証処理を行う。図１１は、本実施の形態に係るデジタルカメラ２０の構成を示す。この構成およびその動作は、実施の形態１で示したデジタルカメラ２０の構成および動作と概ね同一なので主に異なる点を説明する。本実施の形態では、デジタルカメラ２０が認証処理を行うため認証情報付加部４４は撮影したデジタル画像を認証サーバ６０に送信せず、また、同じ理由から認証情報送信部４６が不要となる。一方、デジタルカメラ２０は標準時刻を取得する標準時刻取得部８６を備える。
【００３０】
デジタル画像の認証処理がなされる場合、認証情報付加部４４はデジタル画像に付加されている時刻ＩＤと撮影時刻を抽出する。また、その時点で時刻ＩＤ制御部３６に設定されている時刻ＩＤを取得し、抽出した時刻ＩＤと比較する。それら時刻ＩＤが一致する場合、認証処理を行う。ただし、上述のようにユーザの時刻変更の操作履歴を保持する時刻変更履歴テーブルがある場合は、時刻ＩＤが一致しなくとも認証処理は行われる。
【００３１】
認証処理が行われる場合、標準時刻取得部８６は標準時刻をＮＴＰサーバ１２から取得し、認証情報付加部４４に通知する。認証情報付加部４４はその標準時刻と、現在の内蔵時計２８が示す時刻、および抽出された撮影時刻をもとに正確な撮影時刻を算出し、その算出された時間を認証撮影時刻として確定する。
【００３２】
図２、図３および図１１に示した構成は、ハードウエア的には、任意のコンピュータのＣＰＵ、メモリ、その他のＬＳＩで実現でき、ソフトウエア的にはメモリのロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００３４】
【発明の効果】
本発明によれば、デジタルカメラなどの撮影装置で撮影したデジタル画像に正確な撮影時刻を関連づけることができる。また別の観点では、デジタル画像の認証能力を確保することが期待できる。
【図面の簡単な説明】
【図１】実施の形態１に係るデジタルカメラおよび認証サーバを含むネットワークシステムの全体構成を示す図である。
【図２】実施の形態１に係るデジタルカメラの構成図である。
【図３】実施の形態１に係る認証サーバの構成図である。
【図４】デジタルカメラおよび認証サーバの動作を示すタイミングチャートである。
【図５】操作履歴が記述されている時刻変更履歴テーブルの一形態を示す図である。
【図６】操作履歴が記述されている時刻変更履歴テーブルの一形態を示す図である。
【図７】時刻変更履歴テーブルに示されている時刻変更の操作履歴を時間軸上に示す図である。
【図８】操作履歴が記述されている時刻変更履歴テーブルの一形態を示す図である。
【図９】時刻変更履歴テーブルに示されている時刻変更の操作履歴を時間軸上に示す図である。
【図１０】操作履歴が記述されている時刻変更履歴テーブルの一形態を示す図である。
【図１１】実施の形態２に係るデジタルカメラの構成図である。
【符号の説明】
１０  ネットワークシステム、  １２  ＮＴＰサーバ、  １４  外部無線基地局、  １８  インターネット、  ２０  デジタルカメラ、２４  画像データ保持部、  ２８  内蔵時計、  ３２  時刻設定部、  ３６  時刻ＩＤ制御部、  ４０位置情報取得部、  ４４  認証情報付加部、  ４６  認証情報送信部、  ５０認証情報制御部、  ６０  認証サーバ、  ８０  認証処理部、  ８２  認証情報抽出部、  ８４  時刻情報要求部、  ８６  標準時刻取得部、  ８８  画像認証部。
【図１】
2004153582.tif 000003
【図２】
2004153582.tif 000004
【図３】
2004153582.tif 000005
【図４】
2004153582.tif 000006
【図５】
2004153582.tif 000007
【図６】
2004153582.tif 000008
【図７】
2004153582.tif 000009
【図８】
2004153582.tif 000010
【図９】
2004153582.tif 000011
【図１０】
2004153582.tif 000012
【図１１】
2004153582.tif 000013